(57)【要約】【課題】音声の音量を一定に固定するロック状態において音量を容易に再設定することができる。【解決手段】実施形態に係る受信装置は、音声出力部と、音量操作部と、音声の音量を操作値に応じて変化可能な非ロック状態と操作値を一定のロック値に固定したロック状態とを切り替えるロック管理部と、非ロック状態において操作値に応じた音量の音声を音声出力部から出力させ、ロック状態において、ロック値が示す音量の音声を音声出力部から出力させる音量制御部とを備え、ロック管理部は、ロック状態において所定の操作部がオンとなった場合、操作値がロック値から予め定められた範囲の値となってから、所定の操作部がオフとなるまでの期間において、非ロック状態に変更し、非ロック状態に変更した後に所定の操作部がオフとなった場合、操作値をロック値として更新して、ロック状態に変更する。【選択図】図２
2017108197.tif 000002
【特許請求の範囲】
【請求項１】
音声信号に応じた音声を出力する音声出力部と、
ユーザ操作に応じて、音声の音量を示す操作値を出力する音量操作部と、
音声の音量を前記操作値に応じて変化可能な非ロック状態と、前記操作値を一定のロック値に固定したロック状態とを切り替えるロック管理部と、
前記非ロック状態において前記操作値に応じた音量の音声を前記音声出力部から出力させ、前記ロック状態において、前記ロック値が示す音量の音声を前記音声出力部から出力させる音量制御部と、
を備え、
前記ロック管理部は、
前記ロック状態において所定の操作部がオンとなった場合、前記操作値が前記ロック値から予め定められた範囲の値となってから、前記所定の操作部がオフとなるまでの期間において、前記非ロック状態に変更し、
前記非ロック状態に変更した後に前記所定の操作部がオフとなった場合、前記操作値を前記ロック値として更新して、前記ロック状態に変更する
受信装置。
【請求項２】
前記ロック管理部は、前記ロック状態において前記所定の操作部がオンとなった場合、前記所定の操作部がオンとなってから前記操作値が前記ロック値から予め定められた範囲の値となるまでの期間、前記ロック状態を維持する
請求項１に記載の受信装置。
【請求項３】
前記ロック管理部は、前記ロック状態において前記所定の操作部がオンとなった場合、前記所定の操作部がオンとなってから前記操作値が前記ロック値から予め定められた範囲の値となるまでの期間、ロック中であることを知らせる情報を表示させる
請求項２に記載の受信装置。
【請求項４】
前記ロック管理部は、ユーザの操作に応じて前記非ロック状態から前記ロック状態に変更された場合、変更操作時における前記操作値を前記ロック値として登録する
請求項１から３の何れか１項に記載の受信装置。
【請求項５】
前記ロック値から予め定められた範囲は、前記ロック値から所定の第１値を減じた値から、前記ロック値から所定の第２値を加算した値までの範囲である
請求項１から４の何れか１項に記載の受信装置。
【請求項６】
前記予め定められた範囲は、前記ロック値より小さい範囲である
請求項１から４の何れか１項に記載の受信装置。
【請求項７】
前記音声信号が変調された受信信号を受信し、前記受信信号を復調して前記音声信号を生成する受信部と、
前記受信信号が所定のレベル以下の場合、もしくは前記受信信号に所定の制御信号が含まれない場合、前記音声出力部による音声の出力を停止させるスケルチ処理部をさらに備え、
前記所定の操作部は、前記スケルチ処理部の機能をオフするためのモニターキーであり、
前記スケルチ処理部は、前記モニターキーがオンとなった場合、前記受信信号の有無、もしくは前記制御信号が含まれているか否かに関わらず、前記音声出力部により音声を出力させる
請求項１から６の何れか１項に記載の受信装置。
【請求項８】
前記音量操作部は、機械式の操作装置を含む
請求項１から７の何れか１項に記載の受信装置。
【請求項９】
音声信号に応じた音声を出力する音声出力部と、
ユーザ操作に応じて、音声の音量を示す操作値を出力する音量操作部と、
音声の音量を前記操作値に応じて変化可能な非ロック状態において前記操作値に応じた音量の音声を前記音声出力部から出力させ、前記操作値を一定のロック値に固定したロック状態において、前記ロック値が示す音量の音声を前記音声出力部から出力させる音量制御部と、
を備える受信装置の制御方法であって、
前記ロック状態において所定の操作部がオンとなった場合、前記操作値が前記ロック値から予め定められた範囲の値となってから、前記所定の操作部がオフとなるまでの期間において、前記非ロック状態に変更し、
前記非ロック状態に変更した後に前記所定の操作部がオフとなった場合、前記操作値を前記ロック値として更新して、前記ロック状態に変更する
制御方法。
【発明の詳細な説明】
【技術分野】
【０００１】
本発明は、受信装置および制御方法に関する。
【背景技術】
【０００２】
携帯型の無線機は、一般に、音声の音量を固定する音量ロック機能を有する。これにより、無線機は、誤ってボリュームキーを操作してしまった場合であっても、意図しない大きな音量の音声が突然出力されてしまうことを回避することができる。
【０００３】
特許文献１には、誤って動かされたボリュームキーを任意の時点の位置に自動復帰させる装置が記載されている。
【先行技術文献】
【特許文献】
【０００４】
【特許文献１】特開平０９−１３０１７３号公報
【発明の概要】
【発明が解決しようとする課題】
【０００５】
ところで、従来の無線機では、音量をロックした後に音量を再設定する場合、ロック状態を一旦解除してからボリュームキーを操作し、その後、ロック状態に設定しなければならなかった。従って、従来の無線機では、ロックする音量を再設定するための操作が煩雑であった。また、従来の無線機では、ロック状態において誤ってボリュームキーが操作された場合、ロック状態を解除した途端に意図しない音量の音声が出力される。このため、従来の無線機では、音量をロックした後に音量を再設定する場合、ロック状態の解除直後に意図しない大きな音量の音声が出力されてしまう可能性があった。
【０００６】
本発明は、上記に鑑みてなされたものであって、音量をロックした後に簡単な操作で音量の再設定をすることができ、再設定時に意図しない音量の音声が出力されることを防止する受信装置および制御方法を提供することを目的とする。
【課題を解決するための手段】
【０００７】
上述した課題を解決し、目的を達成するために、本発明に係る受信装置は、音声信号に応じた音声を出力する音声出力部と、ユーザ操作に応じて、音声の音量を示す操作値を出力する音量操作部と、音声の音量を前記操作値に応じて変化可能な非ロック状態と、前記操作値を一定のロック値に固定したロック状態とを切り替えるロック管理部と、前記非ロック状態において前記操作値に応じた音量の音声を前記音声出力部から出力させ、前記ロック状態において、前記ロック値が示す音量の音声を前記音声出力部から出力させる音量制御部と、を備え、前記ロック管理部は、前記ロック状態において所定の操作部がオンとなった場合、前記操作値が前記ロック値から予め定められた範囲の値となってから、前記所定の操作部がオフとなるまでの期間において、前記非ロック状態に変更し、前記非ロック状態に変更した後に前記所定の操作部がオフとなった場合、前記操作値を前記ロック値として更新して、前記ロック状態に変更する。
【発明の効果】
【０００８】
本発明によれば、音声の音量を一定に固定するロック状態において、音量を容易に再設定することができる。
【図面の簡単な説明】
【０００９】
【図１】図１は、実施形態に係る無線機のハードウェア構成を示す図である。
【図２】図２は、実施形態に係る無線機の音声出力のための機能構成を示す図である。
【図３】図３は、非ロック状態とロック状態とを切り替える処理を示すフローチャートである。
【図４】図４は、音量操作部が操作された場合の処理を示すフローチャートである。
【図５】図５は、ロック値を変更する場合の処理を示すフローチャートである。
【発明を実施するための形態】
【００１０】
図１は、実施形態に係る無線機１０のハードウェア構成を示す図である。無線機１０は、音声信号を無線送信する送信装置および音声信号を無線受信する受信装置の機能を有する。
【００１１】
無線機１０は、アンテナ２０と、送受信回路２２と、マイクロホン２４と、スピーカ２６と、信号処理回路２８と、主制御回路３０と、不揮発性メモリ３２と、ディスプレイ３４と、ボリュームキー３６と、ＰＴＴ（Push  To  Talk）スイッチ３８と、モニターキー４０と、操作キー群４２とを備える。
【００１２】
アンテナ２０は、電磁波を空中に放射し、また、空中の電磁波を取得する。送受信回路２２は、送信時において、信号処理回路２８から変調信号を取得し、取得した変調信号を搬送波に変調して被変調信号つまり送信信号を生成する。そして、送受信回路２２は、送信時において、送信信号をアンテナ２０を介して他の装置（他の無線機１０）または基地局等へ送信する。また、送受信回路２２は、受信時において、アンテナ２０を介して被変調信号を他の装置または基地局等から受信し、受信した被変調信号つまり受信信号を復調して復調信号を生成する。そして、送受信回路２２は、受信時において、復調信号を信号処理回路２８へ与える。
【００１３】
マイクロホン２４は、周囲の音を集音して電気信号に変換して音声信号を出力する。スピーカ２６は、音声信号を振動に変換して外部に音を放音する。
【００１４】
信号処理回路２８は、送信時において、マイクロホン２４により出力された音声信号に帯域制限等の所定の処理を行い変調信号を生成し、生成した変調信号を送受信回路２２に与える。信号処理回路２８は、受信時において、送受信回路２２により出力された復調信号に帯域制限等の処理を行い音声信号を抽出し、抽出した音声信号をスピーカ２６に与える。なお、信号処理回路２８は、ＡＤ／ＤＡ変換回路を有してデジタルで信号処理を実行してもよいし、アナログで信号処理を実行してもよい。
【００１５】
主制御回路３０は、無線機１０の全体を制御する。主制御回路３０は、例えば、ＣＰＵ（Central  Processing  Unit）、ＲＯＭ（Read  Only  Memory）およびＲＡＭ（Random  Access  Memory）等を有する。主制御回路３０は、予め組み込まれたプログラムを実行して、信号処理回路２８等の各部を制御する。不揮発性メモリ３２は、例えばフラッシュメモリ等であり、主制御回路３０により実行されるプログラムおよび送受信のために用いられる各種の設定値を記憶する。
【００１６】
ディスプレイ３４は、筐体の主面等に設けられ、ユーザに対して情報を表示する。主制御回路３０は、ディスプレイ３４を制御して各種の情報をディスプレイ３４に表示させる。
【００１７】
ボリュームキー３６は、受信時において出力する音声の音量をユーザが操作するための装置である。ボリュームキー３６は、筐体に設けられた機械式の操作装置である。ボリュームキー３６は、例えば、回転式の可変抵抗器であり、回転軸の位置が音量を表す。主制御回路３０は、ボリュームキー３６に電圧を印加し、回転位置に応じた電圧値をＡＤ変換することにより検出する。そして、主制御回路３０は、検出した電圧値を、ボリュームキー３６の回転位置に応じた操作値として取得する。
【００１８】
ＰＴＴスイッチ３８は、送信と受信とを切り替えるためのスイッチである。ＰＴＴスイッチ３８は、例えばユーザが押している場合にオン、ユーザが押していない場合にはオフとなるモーメンタリ動作をするスイッチである。主制御回路３０は、ＰＴＴスイッチ３８がオンの場合に送信処理を実行させ、ＰＴＴスイッチがオフの場合に受信処理を実行させる。
【００１９】
モニターキー４０は、後述するスケルチ機能を解除するためのスイッチである。モニターキー４０は、例えばユーザが押している場合にオン、ユーザが押していない場合にはオフとなるモーメンタリ動作をするスイッチである。スケルチ機能とは、受信時において、有効な受信信号が含まれない場合音声信号の出力を停止させ、有効な受信信号が含まれる場合に音声を出力させる機能である。モニターキー４０は、受信時において有効な受信信号が含まれない場合であっても、オンにすることにより音声信号をスピーカ２６から出力することができる。
【００２０】
操作キー群４２は、無線機１０を操作するための複数のキーである。操作キー群４２は、例えば、電源ボタン、チャネル選択スイッチおよび状態切替スイッチ等を含む。主制御回路３０は、操作キー群４２に対してされた操作を検出して無線機１０を制御する。
【００２１】
図２は、実施形態に係る無線機１０の音声出力のための機能構成を示す図である。無線機１０は、音声出力部６２と、スケルチ処理部６６と、音量操作部７２と、ロック管理部７４と、音量制御部７６とを備える。
【００２２】
音声出力部６２は、送受信回路２２により出力された復調信号を受け取る。音声出力部６２は、復調信号から音声信号を抽出し、抽出した音声信号をスピーカ２６に与える。音声出力部６２は、信号処理回路２８により実現される。
【００２３】
スケルチ処理部６６は、スケルチ機能を実行する。スケルチ機能は大きく分けて２つの方法がある。第１の方法はノイズスケルチと称される方法であり、復調帯域外のノイズを検出し、ノイズが所定のレベル以上の場合には復調信号の出力を停止する。第１の方法では、所定の受信信号強度以上の場合には復調帯域外のノイズも抑圧されるため、ノイズの検出レベルが下がったことを検出して復調信号を出力を許可する。第２の方法は、トーンスケルチやコードスケルチと称される方法であり、変調信号に所定のトーン信号やデジタルコード信号といった制御信号による変調がなされ、それらの制御信号を検出した場合に復調信号の出力を許可する。第２の方法は、受信信号から所定のトーンやコードといった制御信号が検出できない場合は、復調信号を出力を停止する。
【００２４】
すなわち、スケルチ処理部６６は、受信信号が所定のレベル以下の場合、もしくは受信信号にスケルチを解除する制御信号が含まれない場合、音声出力部６２による音声の出力を停止させる。スケルチ処理部６６は、受信信号にスケルチを解除する制御信号が含まれるか否かをどのような方法で検出してもよい。このようにスケルチ処理部６６は、無信号時のホワイトノイズや不要な信号の復調音声の出力を抑えることができる。
【００２５】
また、スケルチ処理部６６は、ユーザの操作に応じて、スケルチ機能を解除する。すなわち、スケルチ処理部６６は、ユーザの操作に応じて、受信信号の有無、もしくは制御信号が含まれているか否かに関わらず、音声出力部６２により音声を出力させる。例えば、スケルチ処理部６６は、モニターキー４０がオンの場合に、スケルチ機能を解除する。従って、無線機１０は、モニターキー４０がオンの場合には、受信信号が存在しない場合であっても、ホワイトノイズ等の音声を出力して音量の調整をさせることができる。スケルチ処理部６６は、信号処理回路２８および主制御回路３０により実現される。
【００２６】
音量操作部７２は、ユーザ操作に応じて、音声の音量を示す操作値を出力する。例えば、音量操作部７２は、ボリュームキー３６と主制御回路３０とにより実現される。ボリュームキー３６が例えば回転式の３端子型の可変抵抗器である場合、ボリュームキー３６における抵抗の両端に所定電圧が印加される。主制御回路３０は、ボリュームキー３６における移動端子の電圧をアナログデジタル変換により検出し、検出した電圧に基づきボリュームキー３６の回転位置に応じた値を検出する。そして、主制御回路３０は、検出した回転位置に応じた値を、操作値として出力する。
【００２７】
ロック管理部７４は、ユーザの操作に応じて、非ロック状態とロック状態とを切り替える。非ロック状態は、音声の音量を音量制御部７６が出力した操作値に応じて変化可能な状態である。ロック状態は、音声の音量を一定に固定した状態である。例えば、ロック管理部７４は、操作キー群４２に対する操作に応じて、非ロック状態からロック状態へ、または、ロック状態から非ロック状態へ切り替える。
【００２８】
音量制御部７６は、音声出力部６２から出力する音声の音量を制御する。具体的には、音量制御部７６は、非ロック状態において、音量操作部７２が出力した操作値に応じた音量の音声を音声出力部６２から出力させる。すなわち、音量制御部７６は、非ロック状態において、音量操作部７２の操作値に応じて、音声の音量を変化させる。また、音量制御部７６は、ロック状態において、ロック管理部７４が登録したロック値が示す音量の音声を音声出力部６２から出力させる。すなわち、音量制御部７６は、ロック状態において、音量操作部７２が出力する操作値に関わらず、音声の音量を固定する。
【００２９】
ここで、ロック管理部７４は、ロック状態において出力すべき音声の音量を示すロック値を登録する。具体的には、ロック管理部７４は、ユーザの操作に応じて非ロック状態からロック状態に変更された場合、変更操作時における、音量操作部７２の操作値をロック値として登録する。
【００３０】
ロック管理部７４は、音量操作部７２が出力するどのような操作値も、ロック値として登録することができる。例えば、ロック管理部７４は、無音を表す操作値から最大音量を表す操作値まで、何れの操作値もロック値として登録することができる。従って、音量制御部７６は、ロック状態において、音声を無音で固定させることもできるし、音声を最大音量で固定させることもできる。
【００３１】
また、ロック管理部７４は、ロック状態においてユーザにより予め定められた手順で操作がされた場合、登録しているロック値を更新する。具体的には、次のような手順でロック値を更新する。
【００３２】
まず、ロック状態において所定の操作部がオンとなった場合、ロック管理部７４は、所定の操作部がオンとなってから、音量操作部７２が出力する操作値がロック値から予め定められた範囲の値となるまでの期間、ロック状態を維持する。この場合、ロック管理部７４は、所定の操作部がオンとなってから操作値がロック値から予め定められた範囲の値となるまでの期間、ロック中であることを知らせる情報をディスプレイ３４に表示させてもよい。
【００３３】
続いて、ロック管理部７４は、操作値がロック値から予め定められた範囲の値となってから、所定の操作部がオフとなるまでの期間において、非ロック状態に変更する。なお、ロック状態において所定の操作部がオンとなった時点で、操作値がロック値から予め定められた範囲の値となっている場合には、所定の操作部がオンとなった時点で、ロック状態から非ロック状態に変更する。
【００３４】
続いて、非ロック状態に変更した後に所定の操作部がオフとなった場合、ロック管理部７４は、所定の操作部がオフとなった時点における音量操作部７２が出力する操作値をロック値として更新して、ロック状態に変更する。これにより、ロック管理部７４は、ロック値を更新することができる。
【００３５】
なお、所定の操作部は、本例においては、モニターキー４０である。従って、ロック管理部７４は、モニターキー４０がオンとなり、受信信号に有効な音声信号が含まれているか否かに関わらず、音声出力部６２が音声を出力させている状態において、ロック値を変更する。これにより、受信信号が存在する場合にはその有効な音声が出力され、受信信号がない場合であってもホワイトノイズを出力されるので、ロック管理部７４は、ユーザに音声の音量を確認させながら固定したい音量を再設定させることができる。
【００３６】
図３は、非ロック状態とロック状態とを切り替える処理を示すフローチャートである。ロック管理部７４は、非ロック状態とロック状態とを切り替える場合、図３に示すフローチャートに従った処理を実行する。
【００３７】
まず、ステップＳ１１１において、ロック管理部７４は、ユーザにより操作キー群４２が操作されて、音量ロックの設定を変更するためのユーザインターフェイスである音量ロックメニューが操作されたか否かを判断する。ロック管理部７４は、音量ロックメニューが操作されていない場合には（Ｓ１１１のＮｏ）、処理をステップＳ１１１で待機し、音量ロックメニューが操作された場合には（Ｓ１１１のＹｅｓ）、処理をステップＳ１１２に進める。
【００３８】
ステップＳ１１２において、ロック管理部７４は、操作内容を判断する。ロック管理部７４は、ステップＳ１１２でロック状態から非ロック状態への変更操作がされたと判断した場合には、処理をステップＳ１１３に進める。ステップＳ１１３において、ロック管理部７４は、ロック状態から非ロック状態に変更する。例えば、ロック管理部７４は、ロック状態か否かを表す所定のフラグを１から０に変更する。ロック管理部７４は、ステップＳ１１３を終えると、本フローを終了する。
【００３９】
また、ロック管理部７４は、ステップＳ１１２で非ロック状態からロック状態への変更操作がされたと判断した場合には、処理をステップＳ１１４に進める。ステップＳ１１４において、ロック管理部７４は、音量操作部７２が出力する操作値を取得し、取得した操作値をロック値として登録する。例えば、ロック管理部７４は、所定の記憶領域に操作値を記憶させる。続いて、ステップＳ１１５において、ロック管理部７４は、非ロック状態からロック状態に変更する。例えば、ロック管理部７４は、ロック状態か否かを表す所定のフラグを０から１に変更する。ロック管理部７４は、ステップＳ１１５を終えると、本フローを終了する。
【００４０】
以上のように、ロック管理部７４は、ユーザの操作に応じて、非ロック状態とロック状態とを切り替えることができる。さらに、ロック管理部７４は、ユーザの操作に応じて非ロック状態からロック状態に変更された場合、変更操作時における、音量操作部７２の操作値をロック値として登録することができる。
【００４１】
図４は、音量操作部７２が操作された場合の処理を示すフローチャートである。音量制御部７６は、音量操作部７２が操作された場合、図４に示すフローチャートに従った処理を実行する。
【００４２】
まず、ステップＳ１２１において、音量制御部７６は、音量操作部７２が操作されたことにより、音量操作部７２から出力される操作値が変更したか否かを判断する。音量制御部７６は、操作値が変更していない場合には（Ｓ１２１のＮｏ）、処理をステップＳ１２１で待機し、操作値が変更した場合には（Ｓ１２１のＹｅｓ）、処理をステップＳ１２２に進める。
【００４３】
ステップＳ１２２において、音量制御部７６は、ロック状態か否かを判断する。例えば、音量制御部７６は、ロック状態か否かを表す所定のフラグが１であるか否かを判断する。
【００４４】
音量制御部７６は、ロック状態ではない場合（Ｓ１２２のＮｏ）、つまり、非ロック状態である場合、処理をステップＳ１２３に進める。ステップＳ１２３において、音量制御部７６は、音量操作部７２が出力した操作値に応じた音量の音声を音声出力部６２から出力させる。例えば、音量制御部７６は、操作値を音声出力部６２に設定して、音声出力部６２の音量の増幅率を変更させる。音量制御部７６は、ステップＳ１２３を終えると、本フローを終了する。
【００４５】
音量制御部７６は、ロック状態である場合（Ｓ１２２のＹｅｓ）、処理をステップＳ１２４に進める。ステップＳ１２４において、音量制御部７６は、ロック管理部７４により登録されたロック値に応じた音量の音声を音声出力部６２から出力させる。例えば、音量制御部７６は、所定の記憶領域からロック値を読み出し、読み出したロック値を音声出力部６２に設定して、音声出力部６２の音量の増幅率を設定させる。音量制御部７６は、ステップＳ１２４を終えると、本フローを終了する。
【００４６】
以上のように、音量制御部７６は、非ロック状態において、音量操作部７２が出力した操作値に応じた音量の音声を音声出力部６２から出力させることができる。すなわち、音量制御部７６は、非ロック状態において、ユーザによる音量操作部７２の操作に応じて、出力される音声の音量を変更することができる。
【００４７】
音量制御部７６は、ロック状態において、登録したロック値が示す音量の音声を音声出力部６２から出力させることができる。すなわち、音量制御部７６は、ロック状態において、ユーザが音量操作部７２を操作した場合であっても、出力される音声を、登録したロック値に応じた音量に固定することができる。
【００４８】
図５は、ロック値を変更する場合の処理を示すフローチャートである。スケルチ処理部６６およびロック管理部７４は、ロック状態において、既に登録されているロック値を変更する場合、図５に示すフローチャートに従った処理を実行する。
【００４９】
まず、ステップＳ１３１において、スケルチ処理部６６およびロック管理部７４は、モニターキー４０がオンされたか否かを判断する。スケルチ処理部６６およびロック管理部７４は、モニターキー４０がオンされていない場合には（Ｓ１３１のＮｏ）、処理をステップＳ１３１で待機し、モニターキー４０がオンされた場合には（Ｓ１３１のＹｅｓ）、処理をステップＳ１３２に進める。
【００５０】
ステップＳ１３２において、スケルチ処理部６６は、スケルチ機能を解除する。これにより、音声出力部６２は、受信信号に有効な音声信号が含まれているか否かに関わらず、音声を出力することができる。従って、ユーザは、後において、ホワイトノイズ等の音量を確認しながらロック値を変更することができる。なお、ステップＳ１３２の時点では、ロック状態であるので、音声出力部６２は、ロック管理部７４により登録されたロック値に応じた音量の音声を出力する。
【００５１】
続いて、ステップＳ１３３において、ロック管理部７４は、音量操作部７２が出力した操作値を取得する。続いて、ステップＳ１３４において、ロック管理部７４は、取得した操作値が、登録されたロック値から予め定められた範囲内の値か否かを判断する。ロック値から予め定められた範囲は、例えば、ロック値から所定の第１値を減じた値から、ロック値から所定の第２値を加算した値までの範囲である。より具体的には、ロック値から予め定められた範囲は、ロック値の９５％の値から、ロック値の１０５％の値までの範囲等である。また、ロック値から予め定められた範囲は、例えば、ロック値より小さい範囲であってもよい。
【００５２】
ステップＳ１３４で操作値がロック値から予め定められた範囲内の値ではないと判断された場合（ステップＳ１３４のＮｏ）、ロック管理部７４は、処理をステップＳ１３５に進める。ステップＳ１３５において、ロック管理部７４は、ディスプレイ３４にロック中であることを知らせる情報を表示させる。続いて、ステップＳ１３６において、ロック管理部７４は、ロック状態を維持する。これにより、音量制御部７６は、音声出力部６２から出力される音声の音量を、現在登録されているロック値に固定することができる。
【００５３】
続いて、ステップＳ１３７において、スケルチ処理部６６およびロック管理部７４は、モニターキー４０がオフされたか否かを判断する。スケルチ処理部６６およびロック管理部７４は、モニターキー４０がオフされていない場合には（Ｓ１３７のＮｏ）、すなわち、モニターキー４０がオンされたまま維持されている場合には、処理をステップＳ１３３に戻して、処理をステップＳ１３３から繰り返す。
【００５４】
ステップＳ１３３からステップＳ１３７を繰り返すことにより、ロック管理部７４は、モニターキー４０がオンとなってから、音量操作部７２が出力する操作値がロック値から予め定められた範囲の値となるまでの期間、ロック状態を維持することができる。これにより、ロック管理部７４は、ユーザにより音量操作部７２が操作された場合であっても、操作値がロック値から予め定められた範囲の値とならなければ、ロック状態が維持されるので、突然大音量が出力されるようなことを無くすことができる。さらに、ロック管理部７４は、モニターキー４０がオンとなってから操作値がロック値から予め定められた範囲の値となるまでの期間、ロック中であることを知らせる情報をディスプレイ３４に表示させることができる。これにより、ロック管理部７４は、音量操作部７２を操作しても音量が変化しないことをユーザに知らせることができる。
【００５５】
また、スケルチ処理部６６は、ステップＳ１３７においてモニターキー４０がオフされた場合には（Ｓ１３７のＮｏ）、処理をステップＳ１３８に進める。ステップＳ１３８において、スケルチ処理部６６は、スケルチ機能を復帰させる。これにより、ロック管理部７４は、ロック値を変更せずに、ロック値の変更処理を終了させることができる。スケルチ処理部６６およびロック管理部７４は、ステップＳ１３８の処理を終えると、本フローを終了する。
【００５６】
一方、ステップＳ１３４で操作値がロック値から予め定められた範囲内の値であると判断された場合（ステップＳ１３４のＹｅｓ）、ロック管理部７４は、処理をステップＳ１３９に進める。ステップＳ１３９において、ロック管理部７４は、ロック中であることを知らせる情報をディスプレイ３４に表示していた場合には、その情報の表示を消去させる。続いて、ステップＳ１４０において、ロック管理部７４は、非ロック状態に変更する。
【００５７】
続いて、ステップＳ１４１において、音量制御部７６は、音声出力部６２から出力される音声の音量を、音量操作部７２が出力した操作値に応じて変更する。続いて、ステップＳ１４２において、スケルチ処理部６６およびロック管理部７４は、モニターキー４０がオフされたか否かを判断する。スケルチ処理部６６およびロック管理部７４は、モニターキー４０がオフされていない場合には（Ｓ１４１のＮｏ）、すなわち、モニターキー４０がオンされたまま維持されている場合には、処理をステップＳ１４１に戻して、ステップＳ１４１およびステップＳ１４２の処理を繰り返す。
【００５８】
ステップＳ１４１からステップＳ１４２を実行することにより、ロック管理部７４は、操作値がロック値から予め定められた範囲の値となってから、モニターキー４０がオフとなるまでの期間、非ロック状態として、音声出力部６２から出力される音声の音量を音量操作部７２が出力した操作値に応じて変更させ続けることができる。このように、ロック管理部７４は、操作値がロック値から予め定められた範囲の値となった後には、ユーザによる音量操作部７２の操作に応じた音量の音声を出力させることができる。
【００５９】
ロック管理部７４は、モニターキー４０がオフされた場合には（Ｓ１４１のＹｅｓ）、処理をステップＳ１４３に進める。ステップＳ１４３において、ロック管理部７４は、音量操作部７２が出力する現在の操作値を、ロック値として登録する。続いて、ステップＳ１４４において、ロック管理部７４は、非ロック状態からロック状態に変更する。続いて、ステップＳ１４５において、音量制御部７６は、音声出力部６２から出力される音声の音量を、ロック値が示す音量に固定する。続いて、ステップＳ１４６において、ロック管理部７４は、ディスプレイ３４にロック中であることを知らせる情報を表示させる。
【００６０】
ステップＳ１４３からステップＳ１４６を実行することにより、非ロック状態に変更した後にモニターキー４０がオフとなった場合、ロック管理部７４は、モニターキー４０がオフとなった時点における音量操作部７２が出力する操作値をロック値として更新して、ロック状態に変更することができる。これにより、ロック管理部７４は、ロック値を容易に変更することができる。
【００６１】
そして、ステップＳ１４７において、スケルチ処理部６６は、スケルチ機能を復帰させる。スケルチ処理部６６およびロック管理部７４は、ステップＳ１４７の処理を終えると、本フローを終了する。
【００６２】
以上のように、本実施形態に係る無線機１０は、ロック状態において所定の操作部がオンとなった場合、所定の操作部がオンとなってから、音量操作部７２が出力する操作値がロック値から予め定められた範囲の値となるまでの期間、ロック状態を維持する。これにより、無線機１０は、ユーザにより音量操作部７２が操作された場合であっても、操作値がロック値から予め定められた範囲の値とならなければ、ロック状態が維持して、突然大音量が出力されるようなことを無くすことができる。
【００６３】
さらに、本実施形態に係る無線機１０は、操作値がロック値から予め定められた範囲の値となってから、所定の操作部がオフとなるまでの期間、非ロック状態に変更する。これにより、無線機１０は、操作値がロック値から予め定められた範囲の値となった後に、音量操作部７２の操作に応じた音量の音声を出力させることができる。よって、無線機１０は、ユーザに対して、音量を確認しながら周囲環境の状況に応じた音量を再設定させることができる。
【００６４】
そして、無線機１０は、所定の操作部がオフとなった場合、その時点における操作値をロック値に更新して、非ロック状態からロック状態に変更する。これにより、無線機１０は、容易に、ロック値を変更させることができる。
【００６５】
以上の実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。
【符号の説明】
【００６６】
１０  無線機
２０  アンテナ
２２  送受信回路
２４  マイクロホン
２６  スピーカ
２８  信号処理回路
３０  主制御回路
３２  不揮発性メモリ
３４  ディスプレイ
３６  ボリュームキー
３８  ＰＴＴスイッチ
４０  モニターキー
４２  操作キー群
６２  音声出力部
６６  スケルチ処理部
７２  音量操作部
７４  ロック管理部
７６  音量制御部
【図１】
2017108197.tif 000003
【図２】
2017108197.tif 000004
【図３】
2017108197.tif 000005
【図４】
2017108197.tif 000006
【図５】
2017108197.tif 000007